(57)【要約】【課題】スクリーンの引き上げ時にウェイトバーが取付面と衝突することによって発生する衝突音を抑える。【解決手段】天井４などの取付面４ａと対向するロールブラインド１の取付枠２の上縁に沿って弾性材からなる緩衝部材１０を装着する。これにより、緩衝部材１０は、スクリーン７の引き上げ時にウェイトバー８が取付面４ａに対して直接衝突することを防止する。したがって、ウェイトバー８と取付面４ａとの衝突音が抑えられる。【選択図】図２
0003120831.tif 000002
【実用新案登録請求の範囲】
【請求項１】
取付ブラケットを介して取付面に取付枠を固定し、当該取付枠の両端に支持ブラケットを介して巻取軸を回転可能に支持し、当該巻取軸からスクリーンを昇降可能に吊下支持し、前記スクリーンの下端にウェイトバーを取着したロールブラインドにおいて、
前記取付枠は、前記取付面に向けて立設された縁部を備え、当該縁部の前記取付面と対向する上端側に弾性材からなる緩衝部材を弾性変形させることにより挿嵌したことを特徴とするロールブラインド。
【請求項２】
前記緩衝部材は、その上面が前記取付面と対向するように装着され、前記上面の一部には前記取付面との間に空間を形成する凹部が設けられていることを特徴とする請求項１に記載のロールブラインド。
【請求項３】
前記緩衝部材には、前記縁部を挿嵌可能な取付溝が形成されるとともに、当該取付溝は、内部に突出形成された突出片によって前記縁部の上端側を保持する保持部を有しており、当該保持部へ前記縁部の上端側を挿嵌する際の入口となる挿嵌口は前記縁部の上端よりも間隔が狭くなっており、前記縁部は、前記緩衝部材を弾性変形させて前記挿嵌口を広げることにより前記保持部に挿嵌されることを特徴とする請求項１又は請求項２に記載のロールブラインド。
【考案の詳細な説明】
【技術分野】
【０００１】
本考案は、ロールブラインドに関するものである。
【背景技術】
【０００２】
従来、ロールブラインドは、天井などの取付面に固定される取付枠に巻取軸が支持されているとともに、当該巻取軸にスクリーンが吊下支持されている。そして、スクリーンの下端にはウェイトバーが取付けられている。この種のロールブラインドは、巻取軸をスクリーン巻取り方向に回転させることによりスクリーンが引き上げられ、巻取軸をスクリーン巻戻し方向に回転させることによりスクリーンが下降するようになっている。ところで、ロールブラインドは、スクリーンを勢いよく引き上げると、その引き上げ時にウェイトバーと取付枠とが接触して衝突音が発生する場合があった。そこで、従来、衝突音の発生を防止するために、取付枠に緩衝部材を取付けたロールブラインドが提案されている。（例えば、特許文献１参照）。
【特許文献１】実開平２−９８１９６号公報
【考案の開示】
【考案が解決しようとする課題】
【０００３】
しかしながら、ロールブラインドの中には、例えば、経木ブラインドなどのように、スクリーンを引き上げた際の巻取径が大きくなるものがある。このような巻取径が大きくなるロールブラインドでは、スクリーンを引き上げた際、ウェイトバーが取付面（天井）に直接衝突し、衝突音が発生してしまうという虞があった。
【０００４】
また、従来の緩衝部材は、取付枠の側方から嵌め込んだ後に取付枠上をスライドさせて所望の位置に配置する構成であった。そのため、スライドさせる経路上に他の部材が取り付けられていた場合、その部材を一旦外してからでなければ緩衝部材を所望の位置に配置することができず、取り付け作業の便宜性が良くなかった。
【０００５】
本考案は、上記課題に鑑みてなされたものであり、スクリーンの引き上げ時にウェイトバーが取付面と衝突することによって発生する衝突音を抑えることができるとともに、取り付けの際の便宜性の良い緩衝部材を備えたロールブラインドを提供することを目的とする。
【課題を解決するための手段】
【０００６】
上記課題を解決するために、請求項１に記載の考案は、取付ブラケットを介して取付面に取付枠を固定し、当該取付枠の両端に支持ブラケットを介して巻取軸を回転可能に支持し、当該巻取軸からスクリーンを昇降可能に吊下支持し、前記スクリーンの下端にウェイトバーを取着したロールブラインドにおいて、前記取付枠は、前記取付面に向けて立設された縁部を備え、当該縁部の前記取付面と対向する上端側に弾性材からなる緩衝部材を弾性変形させることにより挿嵌した要旨とする。
【０００７】
請求項２に記載の考案は、請求項１に記載のロールブラインドにおいて、前記緩衝部材は、その上面が前記取付面と対向するように装着され、前記上面の一部には前記取付面との間に空間を形成する凹部が設けられていることを要旨とする。
【０００８】
請求項３に記載の考案は、請求項１又は請求項２に記載のロールブラインドにおいて、前記緩衝部材には、前記縁部を挿嵌可能な取付溝が形成されるとともに、当該取付溝は、内部に突出形成された突出片によって前記縁部の上端側を保持する保持部を有しており、当該保持部へ前記縁部の上端側を挿嵌する際の入口となる挿嵌口は前記縁部の上端よりも間隔が狭くなっており、前記縁部は、前記緩衝部材を弾性変形させて前記挿嵌口を広げることにより前記保持部に挿嵌されることを要旨とする。
【考案の効果】
【０００９】
本考案のロールブラインドは、スクリーンの引き上げ時にウェイトバーが取付面と衝突することによって発生する衝突音を抑えるとともに、取り付けの際の便宜性を向上させることができる。
【考案を実施するための最良の形態】
【００１０】
本考案のロールブラインド１を具体化した実施形態を図１〜図３に基づき説明する。以下の説明では、図１に示す矢印Ｙ１の方向を上下方向と示すとともに、矢印Ｙ２の方向を左右方向と示し、図２に示す矢印Ｙ３の方向を前後方向と示す。
【００１１】
図１に示すように、ロールブラインド１は、左右方向に延びる取付枠２を有しており、取付枠２は、左右方向両端に設けられた取付ブラケット３ａ，３ｂを介して天井４の取付面４ａに固定されている。取付枠２の左側端部からは、下方に向けて支持ブラケット５ａが延設されるとともに、取付枠２の右側端部からは、下方に向けて支持ブラケット５ｂが延設され、支持ブラケット５ａ，５ｂは互いに対向している。取付枠２は、底板部２ａから前後方向における縁部２ｂ，２ｃが上方（取付面４ａ）に向かって折り曲げられて形成されており、上方が開口した構成となっている。すなわち、取付枠２は、取付面４ａの固定時において当該取付面４ａと対向して開口する断面凹状に形成されている。また、縁部２ｂの上端側には、取付枠２の左右方向全長に亘って係止部２ｄが形成されているとともに、縁部２ｃの上端側には、取付枠２の左右方向全長に亘って係止部２ｅが形成されている。
【００１２】
巻取軸６は、支持ブラケット５ａ，５ｂによって両端を回転可能に軸支されており、中空の略円筒状に形成されている。巻取軸６には、スクリーン７の一端が固定されており、スクリーン７の他端には、スクリーン７の左右方向全長に亘ってウェイトバー８が掛装されている。なお、スクリーン７は図２に示すように、巻取軸６に対し反時計周りに巻かれており、後側（窓側）寄りに吊り下がっている。また、巻取軸６には図示しない操作部が取付けられており、当該操作部を操作することにより巻取軸６がスクリーン巻取り方向あるいはスクリーン巻戻し方向に回転されるようになっている。
【００１３】
巻取軸６内には、巻取軸６をスクリーン７の引き上げ方向に付勢する図示しないコイルスプリングと、スクリーン７をコイルスプリングの付勢力に抗して所望位置に保持する図示しないクラッチ装置とが設けられている。従って、スクリーン７を所望位置まで引き下げてクラッチ装置を作動させれば、スクリーン７が所望位置に保持され、その状態からクラッチ装置の作動を解除すれば、コイルスプリングの付勢力に基づいて巻取軸６が回転されて、スクリーン７が引き上げられる。
【００１４】
また、取付枠２には、弾性材（本実施形態ではゴム材）からなる側面視略台形状の緩衝部材１０が２個取り付けられている。緩衝部材１０には、取付枠２の後側（窓側）に前後方向に延設された縁部２ｂと対応する形状の取付溝１０ａが左右方向全長に亘って形成されている。また、緩衝部材１０は取付枠２からみて後側（窓側）の取付面４ａと接触するように取り付けられている。また、緩衝部材１０は、その上面１０ｂが左右方向全長に亘って窪んだ凹部１０ｃを有するように形成されている。このため、緩衝部材１０は、取付面４ａに固定されるロールブラインド１に装着されると、上面１０ｂと取付面４ａとが接触し、凹部１０ｃにより取付面４ａとの間に空間１１を形成するようになっている。本実施形態の緩衝部材１０は、取付枠２の開口側上縁に沿って装着される。具体的に言えば、緩衝部材１０は、取付枠２の縁部２ｂの上端側（係止部２ｄ）に装着される。緩衝部材１０の取付溝１０ａの内部には、前後方向で対向する溝内面から突出形成された一対の突出片１０ｄにより保持部１０ｅが形成されている。また、突出片１０ｄ間には若干の隙間を有しており、突出片１０ｄ間を保持部１０ｅへの入口となる挿嵌口１０ｆと示す。
【００１５】
次に、取付枠２への緩衝部材１０の取り付け方を図３に基づき説明する。図３は、ロールブラインド１の取付枠２及び緩衝部材１０以外の部材を省略して示している。
まず、図３（ａ）に示すように、緩衝部材１０は、取付枠２の縁部２ｂの先端と取付溝１０ａとが対向するように位置決めする。次いで、図３（ｂ）に示すように、緩衝部材１０の突出片１０ｄを係止部２ｄに押し込む。このとき、緩衝部材１０の突出片１０ｄは、挿嵌口１０ｆの間隔（前後方向長さ）よりも係止部２ｄの前後方向長さの方が長いことから、突出片１０ｄによって係止部２ｄの保持部１０ｅへの侵入は規制されるが、更に押し込むことにより緩衝部材１０の弾性変形によって挿嵌口１０ｆが広がる。そして、図３（ｃ）に示すように、挿嵌口１０ｆの間隔が係止部２ｄの前後方向長さよりも長くなると、係止部２ｄが突出片１０ｄを乗り越えて取付溝１０ａの保持部１０ｅに収納される。また、図３（ｂ）に示すように弾性変形した緩衝部材１０は、その弾性力によって復元し、突出片１０ｄが係止部２ｄを保持した状態となる。この状態で緩衝部材１０は、取付枠２の開口側上縁に装着されることとなる。
【００１６】
次に、本考案のロールブラインド１の作用を図２に基づき説明する。
ロールブラインド１のスクリーン７は、引き下げられた状態で巻取軸６をスクリーン巻取り方向へ回転させるように操作部を操作すると、引き上げられる。そして、スクリーン７が勢いよく巻き上げられると、その巻き上げ時の勢いでウェイトバー８が図２に２点鎖線で示す位置に跳ね上がる。このとき、跳ね上がったウェイトバー８は、緩衝部材１０と衝突する。この衝突により、ウェイトバー８と取付面４ａの直接的な衝突が防止されるとともに、緩衝部材１０によってウェイトバー８の衝突による衝突音が吸音される。また、取付枠２に装着された緩衝部材１０と取付面４ａとの間には空間１１が介在されており、当該空間１１が空気層として機能することにより、緩衝部材１０とウェイトバー８との衝突による振動が取付面４ａに伝わりにくく、より好適に吸音効果が発揮される。
【００１７】
以上に説明したロールブラインド１においては次の効果を奏する。
（１）取付枠２の縁部２ｂの上端側に沿って弾性材からなる緩衝部材１０を装着した。このため、緩衝部材１０は、取付枠２の上縁と取付面４ａとの間に配置される。従って、スクリーン７の引き上げ時にウェイトバー８が跳ね上がった場合でも、緩衝部材１０により、ウェイトバー８と取付面４ａとの直接的な衝突が防止され、衝突音を抑えることができる。
【００１８】
（２）取付面４ａと接触する緩衝部材１０の上面１０ｂの一部に、緩衝部材１０と取付面４ａとの間に空間１１を形成する凹部１０ｃを設けた。このため、緩衝部材１０は、取付面４ａとの間に空気層を介在した状態で装着され、緩衝部材１０と取付面４ａとの接触面積が減少される。したがって、ウェイトバー８と緩衝部材１０との衝突による振動は、取付面４ａへ伝播しにくく、一層衝突音を抑えることができる。
【００１９】
（３）例えば、緩衝部材を取付枠２の上縁に沿ってスライドさせて装着する場合、取付ブラケット３を取付枠２に取り付けた後では当該取付ブラケット３に遮られて緩衝部材をスライドできず、所望の位置に装着できない。そのため、緩衝部材を取り付けるためには一旦取付ブラケット３を外した後に緩衝部材を取付け、再度取付ブラケット３を取付ける必要があり手間がかかるという問題がある。また、スライドさせて緩衝部材を装着する場合には、当該緩衝部材をスライドさせるために、取付枠２に対して緩衝部材を緩く嵌め合わせる必要がある。そのため、ロールブラインド１を取付面４ａへ取り付ける際にロールブラインド１が傾いた場合には、緩衝部材が自重によりスライド移動し、装着位置がずれる可能性もある。そこで、本実施形態では、断面凹状をなす取付枠２の開口側上縁（係止部２ｄ）に対し、緩衝部材１０を弾性変形させて挿嵌させ、装着するようにしている。このため、緩衝部材１０は、自身の弾性力により突出片１０ｄが係止部２ｄを保持し、開口側上縁にて保持される。したがって、緩衝部材１０の位置ずれが少なく、緩衝部材１０の取り付けにかかる便宜性を向上させることができる。
【００２０】
以上に説明したロールブラインド１の構成は以下のように変更してもよい。
・緩衝部材１０を取付枠２の中央に１個取り付け、その左右夫々に一個ずつ、合計３個取付ける構成としてもよい。
【００２１】
・緩衝部材１０の形状は、本実施形態に示したものに限定されず、例えば、側面視略矩形状のものであってもよい。
・無端状のチェーンをスクリーンの巻取り軸の端部に設けたプーリーに巻きかけて、スクリーンを巻取り、巻き戻し昇降してもよい。
【００２２】
・ロールブラインド１を天井４に取付ける実施形態を示したが、窓が設けられている壁の窓より上方の部分に直接取付けるようにしてもよい。
・取付枠２の係止部２ｄは本実施形態で示した形状に限定されず、例えば、縁部２ｂから前後片側のみに延設されるように形状や、側面視円状のものであってもよい。
【００２３】
・突出片１０ｄは、取付溝１０ａの前後片側からのみ突出形成されるように変更してもよい。
・ウェイトバー８がスクリーン７から後側（窓側）に吊り下がっている場合を示したが、前側に吊り下がっている場合は緩衝部材１０も取付枠２の前側に配置するように変更してもよい。
【図面の簡単な説明】
【００２４】
【図１】本実施形態のロールブラインドの正面図。
【図２】同じくロールブラインドのＡ−Ａにおける断面図。
【図３】（ａ）（ｂ）（ｃ）は、同じく取付枠に緩衝部材を取り付ける態様を示す説明図。
【符号の説明】
【００２５】
１…ロールブラインド、２…取付枠、２ｂ、２ｃ…縁部、２ｄ、２ｅ…係止部、４…取付面、５ａ，５ｂ…支持ブラケット、６…巻取軸、７…スクリーン、８…ウェイトバー、１０…緩衝部材、１０ａ…取付溝、１０ｃ…凹部、１０ｄ…突出片、１０ｅ…保持部、１０ｆ…挿嵌口、１１…空間。
【図１】
0003120831.tif 000003
【図２】
0003120831.tif 000004
【図３】
0003120831.tif 000005